(57)【特許請求の範囲】
【請求項１】
撮像素子とレンズホルダとレンズを有するレンズ鏡筒とを少なくとも備え、前記レンズホルダに設けたレンズ鏡筒嵌合孔に前記レンズ鏡筒を取り付けるレンズの固着方法において、
前記レンズ鏡筒嵌合孔の内壁面に同一径で幅を有する円弧摺動面を設けるとともにこの円弧摺動面より内方に突出した係止突起を設け、
前記レンズ鏡筒の外壁面に、所定の間隔をおいて前記円弧摺動面に密接して摺動する少なくとも２個以上の摺動案内部を幅をもって設け、
ともに幅を有する前記レンズ鏡筒の摺動案内部と前記レンズ鏡筒嵌合孔の円弧摺動面とを前記レンズの光軸が傾くことなく撮像素子の中心と一致した状態を保持したまま挿入して前記レンズ鏡筒と撮像素子との距離を調整してレンズと撮像素子のフォーカスを調整し、
前記レンズ鏡筒を水平回転して前記摺動案内部の頂部から隣接する摺動案内部の立ち下がり部分まで順次径方向に小径となる少なくとも２個以上の係止テーパー面に、前記係止突起を圧接して係止し、
前記レンズ鏡筒嵌合孔に前記レンズ鏡筒が挿入されたときのレンズの光軸を中心としたときの前記レンズ鏡筒嵌合孔の最小径をａ、最大径をｂ及び同中心から前記係止テーパー面までの最小径をｒ１、最大径をｒ２としたときに、それぞれの大小関係はｒ１＜ａ＜ｒ２≦ｂであり、かつ前記中心から前記係止テーパー面までの径は前記レンズ鏡筒を水平回転して前記係止突起を圧接して係止する回転方向と逆方向に連続して増大させ、前記レンズ鏡筒を水平回転して前記係止突起を前記係止テーパー面に食い込み固定するようにしたことを特徴とするレンズの固着方法。
【請求項２】
前記レンズホルダの前記レンズ鏡筒嵌合孔の内壁に、前記円弧摺動面と前記係止突起を１対として２対以上を円周方向に等間隔で設け、前記レンズ鏡筒の外壁に、前記摺動案内部と前記係止テーパー面を１対として２対以上を円周方向に等間隔で設けたことを特徴とする請求項１記載のレンズの固着方法。
【請求項３】
撮像素子とレンズホルダとレンズを有するレンズ鏡筒とを少なくとも備え、前記レンズホルダに設けたレンズ鏡筒嵌合孔に前記レンズ鏡筒を取り付けるレンズの固着方法において、
前記レンズ鏡筒の外壁面に同一径で幅を有する円弧摺動面を設けるとともにこの円弧摺動面より外方に突出した係止突起を設け、
前記レンズ鏡筒嵌合孔の内壁面に、所定の間隔をおいて前記円弧摺動面に密接して摺動する少なくとも２個以上の摺動案内部を幅をもって設け、
ともに幅を有する前記レンズ鏡筒の円弧摺動面と前記レンズ鏡筒嵌合孔の摺動案内部とを前記レンズの光軸が傾くことなく撮像素子の中心と一致した状態を保持したまま挿入して前記レンズ鏡筒と撮像素子との距離を調整してレンズと撮像素子のフォーカスを調整し、
前記レンズ鏡筒を水平回転して前記摺動案内部の頂部から隣接する摺動案内部の立ち上がり部分まで順次径方向に大径となる少なくとも２個以上係止のテーパー面に、前記係止突起を圧接して係止し、
前記レンズ鏡筒嵌合孔に前記レンズ鏡筒が挿入されたときのレンズの光軸を中心としたときの前記レンズ鏡筒嵌合孔の最小径をａ、最大径をｂ及び同中心から前記円弧摺動面までの最小径をｒ１、最大径をｒ２としたときに、それぞれの大小関係はｒ１＜ａ＜ｒ２≦ｂであり、かつ前記中心から前記係止テーパー面までの径は前記レンズ鏡筒を水平回転して前記係止突起を圧接して係止する回転方向と同一方向に連続して減少させ、前記レンズ鏡筒を水平回転して前記係止突起を前記係止テーパー面に食い込み固定するようにしたことを特徴とするレンズの固着方法。
【請求項４】
前記レンズ鏡筒の外壁に、前記円弧摺動面と前記係止突起を１対として２対以上を等間隔で設け、前記レンズホルダの前記レンズ鏡筒嵌合孔の内壁に、前記摺動案内部と前記係止テーパー面を１対として２対以上を円周方向に等間隔で設けたことを特徴とする請求項３記載のレンズの固着方法。
【請求項５】
複数の前記円弧摺動面は、前記レンズの光軸を中心とする同一径としたことを特徴とする請求項２又は４記載のレンズの固着方法。
【請求項６】
係止突起を硬質材料とし、係止テーパー面を前記係止突起より軟質材料としたことを特徴とする請求項１乃至５記載のレンズの固着方法。
【発明の詳細な説明】
【技術分野】
【０００１】
本発明は、車載カメラやボードカメラなどの撮像素子とレンズユニットのフォーカス調整とレンズホルダへの固着を簡単に、かつ、確実にできるようにしたレンズの固着機構及びそれを備えたカメラ装置に関するものである。
【背景技術】
【０００２】
従来、車載カメラやボードカメラにおいて、レンズホルダの交換時やレンズホルダのないカメラを製造する場合に、レンズホルダの取り付け取り外しを容易にする発明が提案されている（特許文献１）。
これは、図５において、基板１８の上にＣＣＤなどの撮像素子１７が載置され、ＣＣＤカバー１５が固定ねじ１９にて基板１８に固定され、ＣＣＤカバー１５には、レンズホルダ１３がこのレンズホルダ１３のねじ溝１４とＣＣＤカバー１５のねじ山１６で螺合されている。レンズ１０を有するレンズ鏡筒１１は、外周のねじ山１２が前記レンズホルダ１３の内周のねじ溝１４に螺合される。レンズホルダ１３を交換する場合には、レンズホルダ１３を回してＣＣＤカバー１５から取り外し、他のレンズホルダ１３と交換する。レンズ１０と撮像素子１７のフォーカス調整は、レンズ鏡筒１１を回転させ上下に移動させることにより撮像素子１７との距離を調整することで行う。
【０００３】
また、光学ディスク記憶装置におけるレンズ鏡筒１１をレンズホルダ１３にフォーカス調整をしつつ固定する発明が提案されている（特許文献２）。
これは、図６（ａ）〜（ｆ）に示されている。（ａ）（ｂ）に示すように、レンズ鏡筒１１の外周に、少なくとも１２０度の間隔で３箇所に突起２０を設けておき、（ｃ）に示すように、レンズホルダ１３の内側の隙間２２に圧入し、フォーカス調整をしつつ固定する。すると、拡大図（ｄ）に示すように、突起２０がレンズホルダ１３の内壁で押しつぶされて変形し固定される。
また、（ｅ）に示すように、レンズホルダ１３の内側の突起２０に対応した位置に溝２１を設けてレンズホルダ１３の内側の溝２１に圧入し、フォーカス調整をしつつ固定する。すると、拡大図（ｆ）に示すように、突起２０がレンズホルダ１３の内側の溝２１で変形し固定されることで、レンズ鏡筒１１が回転することなく押し込み固定される、としている。
【先行技術文献】
【特許文献】
【０００４】
【特許文献１】特開２０００−１１１７７７号公報
【特許文献２】特開２０００−２１５４９５号公報
【発明の概要】
【発明が解決しようとする課題】
【０００５】
特許文献１では、レンズ１０と撮像素子１７のフォーカス調整が、レンズ鏡筒１１をレンズホルダ１３にねじ込み回転させ上下に移動させることで比較的簡単にできるが、レンズ鏡筒１１とレンズホルダ１３との間が固定されていないために、ねじ部分でガタつきが発生し、振動や衝撃により光軸ずれやフォーカスのずれが発生するおそれがあるという問題がある。
また、特許文献２では、レンズ鏡筒１１の突起２０をレンズホルダ１３の内壁に圧入するため、比較的強固に固定できるが、微妙なフォーカスの調整ができない。また、レンズ鏡筒１１を押し込みすぎると、レンズホルダ１３の内部から押し戻さなければならず、押し込みすぎたときの再調整が不可能か、極めて困難であるという問題がある。
【０００６】
本発明は、レンズユニットと撮像素子とのフォーカス調整及びレンズユニットとレンズホルダへの固着を簡単に、かつ、確実にできるようにしたレンズの固着装置を提供することを目的とするものである。
【課題を解決するための手段】
【０００７】
実施例１では、撮像素子３３とレンズホルダ２５とレンズ２３を有するレンズ鏡筒２４とを少なくとも備え、前記レンズホルダ２５に設けたレンズ鏡筒嵌合孔３２に前記レンズ鏡筒２４を取り付けるレンズの固着機構において、前記レンズ鏡筒嵌合孔３２の内壁面に、円弧摺動面２６と、この円弧摺動面２６より突出した係止突起２７を設け、前記レンズ鏡筒２４の外壁面に、所定の間隔をおいて前記円弧摺動面２６に密接して摺動する少なくとも２個以上の摺動案内部２８と、前記レンズ鏡筒２４を前記レンズ鏡筒嵌合孔３２に嵌合してレンズ鏡筒２４を水平回転して前記係止突起２７を圧接して係止する少なくとも２個の以上の係止テーパー面２９を設け、前記レンズ鏡筒嵌合孔３２に前記レンズ鏡筒２４が挿入されたときのレンズ２３の光軸を中心としたときの前記レンズ嵌合孔３２の最小径をａ、最大径をｂ及び同中心から前記係止テーパ面までの最小径をｒ１、最大径をｒ２としたときに、それぞれの大小関係はｒ１＜ａ＜ｒ２≦ｂであり、かつ前記中心から前記係止テーパ面２９までの径は、前記レンズ鏡筒２４を水平回転して前記係止突起を圧接して係止する回転方向と逆方向に連続して増大させたことを特徴とする。
【０００８】
実施例２では、撮像素子側３３とレンズホルダ２５とレンズ２３を有するレンズ鏡筒２４とを少なくとも備え、前記レンズホルダ２５のレンズ鏡筒嵌合孔３２に前記レンズ鏡筒２４を取り付けるレンズの固着機構において、前記レンズ鏡筒２４の外壁面に、円弧摺動面２６と、この円弧摺動面２６より突出した係止突起２７を設け、前記レンズ鏡筒嵌合孔３２の内壁面に、所定の間隔をおいて前記円弧摺動面２６に密接して摺動する少なくとも２個以上の摺動案内部２８と、前記レンズ鏡筒２４を前記レンズ鏡筒嵌合孔３２に嵌合してレンズ鏡筒２４を水平回転して前記係止突起２７を圧接して係止する少なくとも２個以上の係止テーパー面２９を設け、前記レンズ鏡筒嵌合孔３２に前記レンズ鏡筒２４が挿入されたときのレンズ２３の光軸を中心としたときの前記レンズ嵌合孔３２の最小径をａ、最大径をｂ及び同中心から前記係止テーパ面までの最小径をｒ１、最大径をｒ２としたときに、それぞれの大小関係はｒ１＜ａ＜ｒ２≦ｂであり、かつ前記中心から前記係止テーパ面２９までの径は、前記レンズ鏡筒２４を水平回転して前記係止突起を圧接して係止する回転方向と同一方向に連続して増大させたことを特徴とする。
【０００９】
複数の円弧摺動面２６は、レンズ２３の光軸を中心とする同一径とすることができる。
前記レンズ鏡筒２４に設けた摺動案内部２８と係止テーパー面２９又は円弧摺動面２６と係止突起２７は、光軸方向に幅をもって形成する。
係止固着に際し、食い込む側の前記係止突起２７を硬質材料とし、食い込まれる側の係止テーパー面２９を前記係止突起２７より軟質材料とする。これらの特徴を有したレンズホルダ２５とレンズ鏡筒２４及び撮像素子３３等からカメラ装置３４が構成される。
【発明の効果】
【００１０】
請求項１記載の発明によれば、
撮像素子とレンズホルダとレンズを有するレンズ鏡筒とを少なくとも備え、前記レンズホルダに設けたレンズ鏡筒嵌合孔に前記レンズ鏡筒を取り付けるレンズの固着方法において、
前記レンズ鏡筒嵌合孔の内壁面に同一径で幅を有する円弧摺動面を設けるとともにこの円弧摺動面より内方に突出した係止突起を設け、
前記レンズ鏡筒の外壁面に、所定の間隔をおいて前記円弧摺動面に密接して摺動する少なくとも２個以上の摺動案内部を幅をもって設け、
ともに幅を有する前記レンズ鏡筒の摺動案内部と前記レンズ鏡筒嵌合孔の円弧摺動面とを前記レンズの光軸が傾くことなく撮像素子の中心と一致した状態を保持したまま挿入して前記レンズ鏡筒と撮像素子との距離を調整してレンズと撮像素子のフォーカスを調整し、
前記レンズ鏡筒を水平回転して前記摺動案内部の頂部から隣接する摺動案内部の立ち下がり部分まで順次径方向に小径となる少なくとも２個以上の係止テーパー面に、前記係止突起を圧接して係止し、
前記レンズ鏡筒嵌合孔に前記レンズ鏡筒が挿入されたときのレンズの光軸を中心としたときの前記レンズ鏡筒嵌合孔の最小径をａ、最大径をｂ及び同中心から前記係止テーパー面までの最小径をｒ１、最大径をｒ２としたときに、それぞれの大小関係はｒ１＜ａ＜ｒ２≦ｂであり、かつ前記中心から前記係止テーパー面までの径は前記レンズ鏡筒を水平回転して前記係止突起を圧接して係止する回転方向と逆方向に連続して増大させ、前記レンズ鏡筒を水平回転して前記係止突起を前記係止テーパー面に食い込み固定するようにしたことを特徴とするレンズの固着方法としたので、摺動案内部と円弧摺動面の直径が同一で、かつ、摺動案内部と円弧摺動面は幅をもっているため、レンズの光軸は傾くことなく撮像素子の中心と一致した状態を保持したままレンズ鏡筒がレンズホルダに挿入され、レンズ鏡筒と撮像素子との距離を調整してレンズと撮像素子のフォーカスを調整できる。フォーカス調整したら、摺動案内部と円弧摺動面が密接して回動し、回動により係止突起は、係止テーパー面に食い込んで固定され、撮像素子の中心に対するレンズの光軸がずれることなくフォーカス調整し、調整後にレンズ鏡筒をレンズホルダに容易、かつ、確実に固着することができる。
【００１１】
請求項２記載の発明によれば、前記レンズホルダの前記レンズ鏡筒嵌合孔の内壁に、前記円弧摺動面と前記係止突起を１対として２対以上を円周方向に等間隔で設け、前記レンズ鏡筒の外壁に、前記摺動案内部と前記係止テーパー面を１対として前記レンズホルダと同様に２対以上を円周方向に等間隔で設けたので、レンズホルダ側の複数個の円弧摺動面に、それぞれ対応するレンズ鏡筒側の摺動案内部が光軸を変位させることなく摺動案内され、レンズホルダ側の複数個の係止突起がそれぞれ対応するレンズ鏡筒側の係止テーパー面に確実に食い込み固定される。
【００１２】
請求項３記載の発明によれば、
撮像素子とレンズホルダとレンズを有するレンズ鏡筒とを少なくとも備え、前記レンズホルダに設けたレンズ鏡筒嵌合孔に前記レンズ鏡筒を取り付けるレンズの固着方法において、
前記レンズ鏡筒の外壁面に同一径で幅を有する円弧摺動面を設けるとともにこの円弧摺動面より外方に突出した係止突起を設け、
前記レンズ鏡筒嵌合孔の内壁面に、所定の間隔をおいて前記円弧摺動面に密接して摺動する少なくとも２個以上の摺動案内部を幅をもって設け、
ともに幅を有する前記レンズ鏡筒の円弧摺動面と前記レンズ鏡筒嵌合孔の摺動案内部とを前記レンズの光軸が傾くことなく撮像素子の中心と一致した状態を保持したまま挿入して前記レンズ鏡筒と撮像素子との距離を調整してレンズと撮像素子のフォーカスを調整し、
前記レンズ鏡筒を水平回転して前記摺動案内部の頂部から隣接する摺動案内部の立ち上がり部分まで順次径方向に大径となる少なくとも２個以上係止のテーパー面に、前記係止突起を圧接して係止し、
前記レンズ鏡筒嵌合孔に前記レンズ鏡筒が挿入されたときのレンズの光軸を中心としたときの前記レンズ鏡筒嵌合孔の最小径をａ、最大径をｂ及び同中心から前記円弧摺動面までの最小径をｒ１、最大径をｒ２としたときに、それぞれの大小関係はｒ１＜ａ＜ｒ２≦ｂであり、かつ前記中心から前記係止テーパー面までの径は前記レンズ鏡筒を水平回転して前記係止突起を圧接して係止する回転方向と同一方向に連続して減少させ、前記レンズ鏡筒を水平回転して前記係止突起を前記係止テーパー面に食い込み固定するようにしたことを特徴とするレンズの固着方法としたので、摺動案内部と円弧摺動面の直径が同一で、かつ、摺動案内部と円弧摺動面は幅をもっているため、レンズの光軸は傾くことなく撮像素子の中心と一致した状態を保持したままレンズ鏡筒がレンズホルダに挿入され、レンズ鏡筒と撮像素子の距離を調整してレンズと撮像素子のフォーカスを調整できる。フォーカス調整したら、摺動案内部と円弧摺動面が密接して回動し、回動により係止突起は、係止テーパー面に食い込んで固定され、撮像素子の中心に対するレンズの光軸がずれることなくフォーカス調整し、調整後にレンズ鏡筒をレンズホルダに容易、かつ、確実に固着することができる。
【００１３】
請求項４記載の発明によれば、前記レンズ鏡筒の外壁に、前記円弧摺動面と前記係止突起を１対として２対以上を等間隔で設け、前記レンズホルダの前記レンズ鏡筒嵌合孔の内壁に、前記摺動案内部と前記係止テーパー面を１対として前記レンズ鏡筒と同様に２対以上を等間隔で設けたので、レンズ鏡筒側の複数個の円弧摺動面に、それぞれ対応するレンズホルダ側の摺動案内部が光軸を変位させることなく摺動案内され、レンズ鏡筒側の複数個の係止突起がそれぞれ対応するレンズホルダ側の係止テーパー面に確実に食い込み固定される。
【００１４】
請求項５記載の発明によれば、複数の円弧摺動面は、レンズの光軸を中心とする同一径としたので、レンズ鏡筒側の複数個のいずれの円弧摺動面に、レンズホルダ側のいずれの摺動案内部を嵌合しても、レンズの光軸のずれが生ずることなく摺動案内させることができる。
【００１５】
請求項６記載の発明によれば、係止突起を硬質材料とし、係止テーパー面を前記係止突起より軟質材料としたので、撮像素子の中心に対するレンズの光軸のずれが生じず確実にレンズ鏡筒をレンズホルダのレンズ鏡筒嵌合孔に固着できる。
【００１６】
請求項７記載の発明によれば、撮像素子の中心にレンズの光軸を確実に一致させ、かつ振動や衝撃により光軸ずれやフォーカスずれの発生のないカメラ装置を得ることができる。  
【発明を実施するための形態】
【実施例１】
【００１８】
本発明の実施例１を図１及び図２（ａ）（ｂ）に基き説明する。
プリント基板３１には、図５と同様に、ＣＣＤ等の撮像素子３３が設けられており、この撮像素子３３に臨ませてレンズホルダ２５の台座部３０が取り付けられカメラ装置３４が形成されている。このレンズホルダ２５にレンズ２３を内蔵したレンズ鏡筒２４がフォーカス調整した後、本発明特有の機構によって取り付けられて固定され、カメラ装置３４が形成されている。
【００１９】
前記レンズホルダ２５には、中心部に前記レンズ鏡筒２４を取り付けるためのレンズ鏡筒嵌合孔３２が前記撮像素子３３に向かって穿設されている。このレンズ鏡筒嵌合孔３２の内壁には、１２０度の間隔で内方に突出した係止突起２７が３個設けられ、これら３個の係止突起２７の間には、同一径の円弧摺動面２６が設けられている。
前記レンズ鏡筒２４の外壁には、このレンズ鏡筒２４の筒の長さの約２分の１の幅をもち、１２０度の間隔で摺動案内部２８が突出して形成されており、この摺動案内部２８は、一側面が径方向に垂直に立ち下がり、他側面が摺動案内部２８の頂部から隣接する摺動案内部２８の立ち下がり部分まで順次径方向に小径となる係止テーパー面２９が形成されている。前記摺動案内部２８の頂部は、前記レンズホルダ２５の円弧摺動面２６に密接して摺動するように円弧摺動面２６の直径と同一に形成されている。
図２（ａ）に示すように、前記レンズ鏡筒嵌合孔３２に前記レンズ鏡筒２４が挿入されたときのレンズ２３の光軸を中心としたときの前記レンズ鏡筒嵌合孔３２の最小径をａ、最大径をｂ及び同中心から前記係止テーパ面２９までの最小径をｒ１、最大径をｒ２としたときに、それぞれの大小関係はｒ１＜ａ＜ｒ２≦ｂであり、かつ前記中心から前記係止テーパ面２９までの径は、前記レンズ鏡筒２４を水平回転して前記係止突起を圧接して係止する回転方向と逆方向に連続して増大させている。
【００２０】
以上のような構成において、レンズ鏡筒２４をレンズホルダ２５のレンズ鏡筒嵌合孔３２に取り付けるために嵌合するが、図２（ａ）に示すように、レンズ鏡筒２４の摺動案内部２８がレンズホルダ２５の円弧摺動面２６に密接し、また、レンズホルダ２５の係止突起２７がレンズ鏡筒２４の係止テーパー面２９にわずかに隙間をもっている位置で嵌合する。摺動案内部２８と円弧摺動面２６の直径が同一で、かつ、摺動案内部２８と円弧摺動面２６は幅をもっているため、レンズ２３の光軸は傾くことなく撮像素子の中心と一致した状態を保持したままレンズ鏡筒２４がレンズホルダ２５に挿入される。レンズ鏡筒２４と撮像素子３３との距離を調整してレンズ２３と撮像素子のフォーカスを調整したら、図２（ｂ）に示すようにレンズ鏡筒２４を左方向（矢印方向）に回転させる。ここで、係止突起２７は硬質材料（例えばアルミニウム）で係止テーパー面２９は軟質材料（例えばポリカーボネート）を用いると、係止突起２７は、係止テーパー面２９に食い込んで固定される。レンズ鏡筒２４を回転させても摺動案内部２８と円弧摺動面２６は３点で常に密接しているので撮像素子３３に対するレンズ２３の光軸が変化することはない。
【実施例２】
【００２１】
本発明の実施例２を図３（ａ）（ｂ）に基き説明する。
前記実施例１では、レンズホルダ２５の内壁に係止突起２７と円弧摺動面２６を形成し、レンズ鏡筒２４の外壁に摺動案内部２８と係止テーパー面２９を形成したが、実施例２では、図３（ａ）に示すように、レンズホルダ２５の内壁に摺動案内部２８と係止テーパー面２９を形成し、レンズ鏡筒２４の外壁に係止突起２７と円弧摺動面２６を形成したものである。
図３（ａ）に示すように、前記レンズ鏡筒嵌合孔３２に前記レンズ鏡筒２４が挿入されたときのレンズ２３の光軸を中心としたときの前記レンズ鏡筒嵌合孔３２の最小径をａ、最大径をｂ及び同中心から前記円弧摺動面までの最小径をｒ１、最大径をｒ２としたときに、それぞれの大小関係はｒ１＜ａ＜ｒ２≦ｂであり、かつ前記中心から前記係止テーパー面２９までの径は、前記レンズ鏡筒２４を水平回転して前記係止突起を圧接して係止する回転方向と同一方向に連続して減少させている。
【００２２】
以上のような構成において、図３（ａ）に示すように、レンズホルダ２５の摺動案内部２８がレンズ鏡筒２４の円弧摺動面２６に密接し、また、レンズ鏡筒２４の係止突起２７がレンズホルダ２５の係止テーパー面２９にわずかに隙間をもっている位置で嵌合する。摺動案内部２８と円弧摺動面２６の直径が同一で、かつ、摺動案内部２８と円弧摺動面２６は幅をもっているため、レンズ２３の光軸は傾くことなく撮像素子の中心と一致した状態を保持したままレンズ鏡筒２４がレンズホルダ２５に挿入される。レンズ鏡筒２４と撮像素子３３との距離を調整してレンズ２３と撮像素子のフォーカスを調整したら、図３（ｂ）に示すようにレンズ鏡筒２４を左方向（矢印方向）に回転させる。ここで、係止突起２７を形成したレンズ鏡筒２４は硬質材料で、係止テーパー面２９を形成したレンズホルダ２５は軟質材料を用いると、係止突起２７は、係止テーパー面２９に食い込んで固定される。レンズ鏡筒２４を回転させても摺動案内部２８と円弧摺動面２６は常に密接しているので撮像素子３３に対するレンズ２３の光軸が変化することはない。
【実施例３】
【００２３】
前記実施例１及び実施例２では、３箇所で係止されるようにしたが、実施例３では、図４（ａ）（ｂ）に示すように２箇所で係止する例を示しており、レンズホルダ２５には、レンズ鏡筒嵌合孔３２の内壁に１８０度の間隔で内方に突出した係止突起２７が設けられ、これら２個の係止突起２７の間は、同一径の円弧摺動面２６で連続して設けられている。
前記レンズ鏡筒２４の外壁には、１８０度の間隔で摺動案内部２８が突出して形成されており、この摺動案内部２８は、一側面が径方向に垂直に立ち下がり、他側面が摺動案内部２８の頂部から隣接する摺動案内部２８の立ち下がり部分まで順次径方向に小径となる係止テーパー面２９が形成されている。前記摺動案内部２８の頂部は、前記レンズホルダ２５の円弧摺動面２６に密接して摺動するように円弧摺動面２６の直径と同一に形成されている。
【００２４】
以上のような構成において、レンズ鏡筒２４をレンズホルダ２５のレンズ鏡筒嵌合孔３２に取り付けるために嵌合するが、図４（ａ）に示すように、レンズ鏡筒２４の摺動案内部２８がレンズホルダ２５の円弧摺動面２６に密接し、また、レンズホルダ２５の係止突起２７がレンズ鏡筒２４の係止テーパー面２９にわずかに隙間をもっている位置で嵌合する。摺動案内部２８と円弧摺動面２６の直径が同一で、かつ、摺動案内部２８と円弧摺動面２６は幅をもっているため、レンズ２３の光軸は傾くことなく撮像素子の中心と一致した状態を保持したままレンズ鏡筒２４がレンズホルダ２５に挿入される。レンズ鏡筒２４のと撮像素子３３との距離を調整してレンズ２３と撮像素子のフォーカスを調整したら、図４（ｂ）に示すようにレンズ鏡筒２４を左方向（矢印方向）に回転させる。ここで、係止突起２７は硬質材料で係止テーパー面２９は軟質材料を用いると、係止突起２７は、係止テーパー面２９に食い込んで固定される。レンズ鏡筒２４を回転させても摺動案内部２８と円弧摺動面２６は２点で常に密接しているので撮像素子３３に対するレンズ２３の光軸が変化することはない。
この実施例３においては、円弧摺動面２６に接しながら摺動する摺動案内部２８の面積はできるだけ広くすることで、撮像素子３３に対するレンズ２３の光軸のずれがなくなる。
また、この実施例３において、実施例２と同様に、レンズホルダ２５の内壁に摺動案内部２８と係止テーパー面２９を形成し、レンズ鏡筒２４の外壁に係止突起２７と円弧摺動面２６を形成することもできる。
【００２５】
前記実施例１、実施例２及び実施例３では、撮像素子３３に対するレンズ２３の光軸のずれをなくすために、円弧摺動面２６と摺動案内部２８の接触摺動箇所は、３箇所と２箇所の例を示したが、これに限られるものではなく、４箇所以上でもよい。  
【００２６】
実施例１、実施例２及び実施例３において、複数個所の円弧摺動面２６は、光軸からの半径を全て同一とし、かつ、複数個所の摺動案内部２８も光軸からの半径を全て同一としたことにより、レンズ鏡筒２４をレンズホルダ２５にどの位置で嵌合してもよいようになっている。しかし、１対の円弧摺動面２６と摺動案内部２８の組み毎に一致させれば必ずしもすべてを一致させる必要はない。ただし、この場合は、嵌合位置が予め決められる。
【符号の説明】
【００２７】
１０…レンズ、１１…レンズ鏡筒、１２…ねじ山、１３…レンズホルダ、１４…ねじ溝、１５…ＣＣＤカバー、１６…ねじ山、１７…撮像素子、１８…基板、１９…固定ねじ、２０…突起、２１…溝、２２…隙間、２３…レンズ、２４…レンズ鏡筒、２５…レンズホルダ、２６…円弧摺動面、２７…係止突起、２８…摺動案内部、２９…係止テーパー面、３０…台座部、３１…プリント基板、３２…レンズ鏡筒嵌合孔、３３…撮像素子、３４…カメラ装置。
【図１】
0006024941.tif 000002
【図２】
0006024941.tif 000003
【図３】
0006024941.tif 000004
【図４】
0006024941.tif 000005
【図５】
0006024941.tif 000006
【図６】
0006024941.tif 000007